(57)【特許請求の範囲】
【請求項１】
光源と、
外側に向かうにつれて徐々に低くなるようなリング状の斜面部を有する表示部と、
前記光源からの光を導光し前記斜面部に向けて出射する導光体と、
を有する計器において、
前記導光体は、前記斜面部に対向する部位が出射部になっており、
前記出射部の断面は、前記斜面部の照明にリング状の濃淡又は明暗が発生するように、曲線的な凹状、凸状又は凹凸状になっている、
ことを特徴とする計器。
【請求項２】
請求項１記載の計器において、
前記斜面部には、前記導光体からの出射光とは異なる色で光輝する意匠が形成されており、
前記出射部は、前記意匠に対応する部位が遮光されている、
ことを特徴とする計器。
【請求項３】
請求項１又は請求項２記載の計器において、
前記導光体は、前記出射部に連接される外側面に反射層が形成されている、
ことを特徴とする計器。
【発明の詳細な説明】
【技術分野】
【０００１】
本発明は、自動車等に搭載される計器に関し、特に、奥行き感及び立体感を有する表示部を有する計器に関する。
【背景技術】
【０００２】
自動車等に搭載される計器においては、奥行き感や立体感をだすために、文字板の周縁部に装飾用のリング意匠が印刷されたり、装飾用のリング部材が取り付けられたりしていることが多い。図５は、この種の従来の計器を示す断面図である。図６は、図５の計器の要部を示す斜視図である。
【０００３】
図５に示すように、この種の計器９は、各種電子部品を搭載する基板９１、基板９１に搭載される指針用光源９２ａ、文字板用光源９２ｂ、装飾用光源９２ｃ、ケース９３、ケース９３の一部に支持されて速度やエンジン回転数等を示す意匠９４ａが形成された文字板９４、文字板９４の裏面に取り付けられる拡散板９６、意匠９４ａを指示する指針９７、所定の計測値に応じて指針９７を回転させるムーブメント９８、計器９の前面に取り付けられる見返し９９、及び、図示しない表ガラス等を含んで基本構成される。また、指針９７には指針キャップ９７ｂが被せられ、指針軸９７ａには、ムーブメント９８の回転軸９８ａが挿通されている。
【０００４】
このような基本構成の計器９に奥行き感や立体感をだすために、文字板９４の周縁部近傍にはリング状の斜面部９４１及び平面部９４２が設けられている。そして、斜面部９４１は、図６に示すように、外側に向かって徐々に濃淡が変化する装飾用のリング意匠が印刷されている。また、斜面部９４１を周回するように、リング状の導光体９５が取り付けられている。なお、斜面部９４１には、エンジン回転数を示す意匠９４ａに対応する目盛りを示す意匠９４ｂも形成されている。
【０００５】
そして、装飾用光源９２ｃからの光Ｒ９は、導光体９５に導光されて、出射光Ｒ９′として斜面部９４１に出射される。これによって、斜面部９４１に印刷された濃淡を有するリング意匠が光輝して、文字板９４及び計器９に奥行き感や立体感が付加される。なお、指針用光源９２ａ及び文字板用光源９２ｂによって、それぞれ、指針９７及び文字板９４上の意匠９４ａも周知のように照明される。
【０００６】
なお、上述の計器は下記特許文献１にて詳細に記載されている。
【特許文献１】特許第３５２６０３６号公報
【発明の開示】
【発明が解決しようとする課題】
【０００７】
ところが、上記従来の計器９の計器によると、文字板９４の斜面部９４１に上述のような濃淡が変化する特殊な着色を施さなければならない。したがって、奥行き感や立体感をだすために、特殊な着色剤や着色工程が必要となる。補足すると、目盛りを示す意匠９４ｂを中抜き或いは別色で着色しつつ、濃淡が変化する特殊な意匠を形成しなければならない。
【０００８】
よって本発明は、上述した現状に鑑み、特殊な着色剤や着色工程を要することなく、計器の表示部に奥行き感をだすことができる計器を提供することを課題としている。
【課題を解決するための手段】
【０００９】
上記課題を解決するためになされた請求項１記載の計器は、光源と、外側に向かうにつれて徐々に低くなるようなリング状の斜面部を有する表示部と、前記光源からの光を導光し前記斜面部に向けて出射する導光体と、を有する計器において、前記導光体は、前記斜面部に対向する部位が出射部になっており、前記出射部の断面は、前記斜面部の照明にリング状の濃淡又は明暗が発生するように、曲線的な凹状、凸状又は凹凸状になっている、ことを特徴とする。
【００１０】
請求項１記載の発明によれば、導光体は、斜面部に対向する部位が出射部になっており、出射部の断面は、斜面部の照明にリング状の濃淡又は明暗が発生するように、曲線的な凹状、凸状又は凹凸状になっている。このため、斜面部自体に特殊な着色をすることなく、斜面部の照明にリング状の濃淡が発生する。
【００１１】
上記課題を解決するためになされた請求項２記載の計器は、請求項１記載の計器において、前記斜面部には前記導光体からの出射光とは異なる色で光輝する意匠が形成されており、前記出射部における前記意匠に対応する部位は遮光されている、ことを特徴とする。
【００１２】
請求項２記載の発明によれば、斜面部には導光体からの出射光とは異なる色で光輝する意匠が形成されており、出射部における意匠に対応する部位は遮光されている。よって、意匠の光輝色が出射部からの光で濁ることがない。
【００１３】
上記課題を解決するためになされた請求項３記載の計器は、請求項１又は請求項２記載の計器において、前記導光体における前記出射部に連接される外側面には反射層が形成されている、ことを特徴とする。
【００１４】
請求項３記載の発明によれば、導光体における出射部に連接される外側面には反射層が形成されているので、出射効率がより向上する。
【発明の効果】
【００１５】
請求項１記載の発明によれば、導光体は、斜面部に対向する部位が出射部になっており、出射部の断面は、斜面部の照明にリング状の濃淡又は明暗が発生するように、曲線的な凹状、凸状又は凹凸状になっている。このため、斜面部自体に特殊な着色をすることなく、斜面部の照明にリング状の濃淡又は明暗、すなわち、グラデーションが発生する。したがって、特殊な着色剤や着色工程を要することなく、計器の表示部に奥行き感や立体感をだすことができる。
【００１６】
請求項２記載の発明によれば、斜面部には導光体からの出射光とは異なる色で光輝する意匠が形成されており、出射部における意匠に対応する部位は遮光されている。よって、意匠の光輝色が出射部からの光で濁ることがない。したがって、特殊な着色剤や着色工程を要することなく、斜面部の立体感及び意匠をより明確にすることができる。
【００１７】
請求項３記載の発明によれば、導光体における出射部に連接される外側面には反射層が形成されているので、出射効率がより向上する。したがって、特殊な着色剤や着色工程を要することなく、斜面部の立体感を更に明確にすることができる。或いは、省光源にすることも可能になる。
【発明を実施するための最良の形態】
【００１８】
以下、本発明の実施の形態を図面に基づいて説明する。図１は、本発明の一実施形態に係る計器の要部及び作用を示す断面図である。図２は、本発明の一実施形態に係る計器の要部及び作用を示す斜視図である。図３（Ａ）は、図１及び図２の文字板の目盛り部周辺を示す正面図であり、図３（Ｂ）は、図３（Ａ）のＸＸ線断面図である。
【００１９】
この実施形態の計器は、例えば、アナログ式の自動車用の速度計やエンジン回転計等に適用される。装飾用の濃淡発生に関する構成以外の基本的な構成は、図５で示した計器と同様となるので重複説明は省略する。図１に示すように、実施形態の計器１は、各種電子部品を搭載する基板１１、基板１１に搭載される青色光源１２ｂ、白色光源１２ｗ、ケース１３、ケース１３の一部に支持されて速度やエンジン回転数等を示す意匠である数字部１４ａが形成された文字板１４（請求項の表示部に対応）、導光体１５、数字部１４ａを指示する指針（不図示）、所定の計測値に応じて指針を回転させるムーブメント（不図示）、計器１の前面に取り付けられる見返し１６を含んで構成される。なお、文字板１４の前面に取り付けられる表ガラスや文字板１４の裏面に取り付けられる拡散板等も実際には計器１に含まれるが、本発明の主旨を理解するためには、不要であるのでここでは省略している。
【００２０】
基板１１に実装される青色光源１２ｂ及び白色光源１２ｗはそれぞれ、青色光ＲＢ及び白色光ＲＷを出射する発光ダイオードが用いられる。なお、各光源の色合いは、装飾条件や目盛り色に応じて適宜、変更可能である。ケース１３は、この計器１の基本外形を構成するものであり、例えば、黒色又は白色の樹脂製である。
【００２１】
文字板１４は、例えば、ポリカーボネイト製の透明生地の円盤状のシートであり、数字部１４ａを示す意匠を中抜きにして、黒色のベース色で着色されている。数字部１４ａには、例えば、薄い青色、白色等の印刷を施してもよい。文字板１４にはまた、導光体１５を固定するための固定孔や指針の回転軸部が挿通される図示しない指針軸孔も設けられている。
【００２２】
特に、文字板１４の周縁部近傍には、図６に類似した外側に向けて徐々に低くなるようなリング状の斜面部１４ｂが形成されている。斜面部１４ｂの最低部位はリング状の底面部１４ｃに連接され、更にこの底面部１４ｃはリング状に隆起した隆起平面に連接されている。この隆起平面は、導光体１５を支持及び固定するのに有効となる。
【００２３】
文字板１４の斜面部１４ｂは装飾用の着色は施されておらず、数字部１４ａに対応したバー状の複数の目盛り部１４ｂ２のみが形成されている。目盛り部１４ｂ２は、透過色になるように中抜き印刷されている。詳しくは、図３（Ａ）に示すように、文字板１４における表面には、遮光のための黒色部１４ｂ４及び灰色部１４ｂ５が形成されている。目盛り部１４ｂ２の輪郭を明確にするため、黒色部１４ｂ４と灰色部１４ｂ５とがややずれるように形成されている。
【００２４】
また、図３（Ｂ）に示すように、文字板１４における目盛り部１４ｂ２の裏面には、桃色部１４ｂ３が形成されている。桃色部１４ｂ３は、各目盛り部１４ｂ２をカバーするように、目盛り部１４ｂ２よりも広めに該目盛り部１４ｂ２に対応して複数箇所、形成されている。このような構成によって、白色光源１２ｗからの白色光ＲＷが照射されると、目盛り部１４ｂ２は明確な輪郭を有する桃色に照明されることになる。また、後述するが、灰色部１４ｂ５には青色系の濃淡が発生する。なお、桃色部１４ｂ３は、赤色系のみならず、斜面部の色調と異なれば他色であってもよい。
【００２５】
導光体１５は、例えば、プラスティック製でリング状をしており、青色光源１２ｂに対向する部位は入射部１５ａとなっており、斜面部１４ｂに対向する部位は出射部１５ｂとなっている。入射部１５ａは平面的であるが、出射部１５ｂの断面は、斜面部１４ｂの輝度が外側に向かうにつれて徐々に変化するように、曲線的な凹凸状になっている。詳しくは、出射部１５ｂの断面は、凸状部１５ｂ１と凹状部１５ｂ２が連続するような凹凸状になっている。なお、出射部１５ｂの断面は、斜面部１４ｂの輝度が外側に向かうにつれて徐々に変化するのであれば、凹状又は凸状であってもよい。これらの作用については後述する。
【００２６】
また、導光体１５の出射部１５ｂは、斜面部１４ｂの目盛部１４ｂ２に対応する部位が遮光されている。すなわち、出射部１５ｂには、各目盛部１４ｂ２にそれぞれ対応する複数のバー状の遮光部１５ｄが形成されている。この作用については後述する。また、導光体１５は、文字板１４の隆起平面に対向する部位に固定用の凸起１５ｃが設けられている。導光体１５は、プラスティック製であるので、凸起１５ｃを溶着することによって容易且つ確実に導光体１５を固定できる。
【００２７】
更に、導光体１５は、前面側（運転手の視点側）の外側面に、白色部１７ｗ（請求項の反射層に対応）及び銀色部１７ｓからなる着色層１７が形成されている。これらは、光源１２ｂから出射される青色光ＲＢを外部に漏らすことなく且つ導光体１５の内部で反射させて、効率的に利用するのに役立つ。
【００２８】
続いて、図１〜図３に図４を加えて、計器１に係る作用及び効果について説明する。図１〜図３は上述した通りであり、図４（Ａ）は、本発明の一実施形態の計器によって生成される濃淡を有する照明を説明するための図であり、図４（Ｂ）は、図４（Ａ）の部分拡大図である。
【００２９】
図１及び図２に示すように、青色光源１２ｂからの青色は入射部１５ａに入り、導光体１５の内壁に反射されながら導光体１５内を出射部１５ｂの方向に進行していく。そして、出射部１５ｂの凸状部１５ｂ１からの出射光は斜面部１４ｂの狭い範囲を照射し、出射部１５ｂの凹状部１５ｂ２からの出射光は斜面部１４ｂの広い範囲を照射する。このため、凸状部１５ｂ１からの光で照射される斜面部１４ｂの狭い範囲における輝度は、凹状部１５ｂ２からの光で照射される斜面部１４ｂの広い範囲における輝度よりも高くなる。なお、底面部１４ｃは照射されないようになっている。
【００３０】
したがって、図４（Ａ）及び図４（Ｂ）に示すように、斜面部１４ｂの内側（数字部１４ａに近い方）は濃い青色系になり、その外側は淡い青色系になる。すなわち、斜面部１４ｂに青色系の濃淡が発生する。特に、徐々に濃淡が変化するように、斜面部１４ｂの角度、すなわち、斜面部１４ｂと出射部１５ｂとの距離を調整することがより好ましい。また、銀色部１７ｓによって、運転手の視点側からは、リング状の導光体１７は光輝しているように見えることはない。これによって、上記濃淡をより引き立たせることができる。更に、図３で説明したように、灰色部１４ｂ５によって、斜面部１４ｂの青色の濃淡が非常に鮮やかになる。
【００３１】
また、出射部１５ｂには、桃色で光輝する目盛部１４ｂ２にそれぞれ対応する複数のバー状の遮光部１５ｄが形成されている。これら遮光部１５ｄによって、出射部１５ｂからの青色光で目盛部１４ｂ２の桃色が混濁することがない。したがって、目盛部１４ｂ２が桃色で明確に視認される。更に、図３で説明したように、黒色部１４ｂ４によって、目盛部１４ｂ２の輪郭も明瞭になっている。
【００３２】
以上説明したように、本発明の実施形態によると、特殊な着色剤や着色工程を要することなく、計器の表示部に奥行き感をだすことができる計器を提供することができる。
【００３３】
なお、本発明は、速度計やタコメータのみならず水温計や燃料計等にも適用可能である。また、本発明は、アナログ式計器のみならず、ディジタル式計器にも適用可能である。また、斜面部１４ｂは、文字板１４とは別体に形成するようにしてもよい。更に、出射部１５ｂの断面は、凹凸状のみならず、凸状や場合によっては凹状であってもよい。この場合には、出射部１５ｂの表面形状を微調整したり、斜面部１４ｂの角度、すなわち、斜面部１４ｂと出射部１５ｂとの距離を調整することによって、斜面部１４ｂに濃淡を発生させることができる。
【図面の簡単な説明】
【００３４】
【図１】本発明の一実施形態に係る計器の要部及び作用を示す断面図である。
【図２】本発明の一実施形態に係る計器の要部及び作用を示す斜視図である。
【図３】図３（Ａ）は、図１及び図２の文字板の目盛り部周辺を示す正面図であり、図３（Ｂ）は、図３（Ａ）のＸＸ線断面図である。
【図４】図４（Ａ）は、本発明の一実施形態の計器によって生成される濃淡を有する照明を説明するための図であり、図４（Ｂ）は、図４（Ａ）の部分拡大図である。
【図５】この種の従来の計器を示す断面図である。
【図６】図５の計器の要部を示す斜視図である。
【符号の説明】
【００３５】
１  計器
１１  基板
１２ｂ  青色光源（光源）
１２ｗ  白色光源
１３  ケース
１４  文字板（表示部）
１４ａ  数字部
１４ｂ２  目盛部（意匠）
１４ｂ３  桃色部
１４ｂ  斜面部
１５  導光体
１５ｂ  出射部
１５ｂ１  凸状部
１５ｂ２  凹状部
１５ｄ  遮光部
１６  見返し
１７ｗ  白色部（反射層）
【図１】
0004690128.tif 000002
【図２】
0004690128.tif 000003
【図３】
0004690128.tif 000004
【図４】
0004690128.tif 000005
【図５】
0004690128.tif 000006
【図６】
0004690128.tif 000007